(57)【要約】      （修正有）【課題】吸入空気を濾過して、着用者を、粉塵、花粉およびある種の病原体から保護できるフェイスマスクを提供する。【解決手段】フェイスマスクは、内側フェイスマスクシェル３１を備え、内側フェイスマスク３１は、底部３７と、底部３７から突出するリブ３８であって、当該リブ３８がループ形状に形成されることで複数の穴を有する凹部床部４０を含む凹部３９を形成する、リブ３８と、底部３７から突出する左突出部４２及び右突出部４３と、を備える。内側フェイスマスクシェル３１には、左端近くの２つの孔４４、４５と右端近くの２つの孔４６、４７が形成されている。フェイスマスクは、内側フェイスマスクシェル３１と同じ部材を備える外側フェイスマスクシェル３２を備える。内側フェイスマスクシェル３１の凹部３９に配置されるフィルターライナ３３は、凹部床部４０のすべての穴４１を覆う。外側フェイスマスクシェル３２は、内側フェイスマスクシェル３１の上に配置される。【選択図】図１
0003228837.tif 000002
【実用新案登録請求の範囲】
【請求項１】
内側フェイスマスクシェル（３１）と、外側フェイスマスクシェル（３２）と、フィルターライナ（３３）と、着用者の頭に対してフェイスマスクを固定するための少なくとも２つのストラップと、を備えるフェイスマスクであって、
前記内側フェイスマスクシェル（３１）は、
底部（３７）と、前記底部（３７）の中央領域から突出するリブ（３８）であって、当該リブ（３８）がループ形状に形成されることで複数の穴を有する凹部床部（４０）を含む凹部（３９）を形成する、リブ（３８）と、前記底部（３７）から突出し当該内側フェイスマスクシェル（３１）の左端と前記リブ（３８）との間に位置する左突出部（４２）と、前記底部（３７）から突出し当該内側フェイスマスクシェル（３１）の右端と前記リブ（３８）との間に位置する右突出部（４３）と、当該内側フェイスマスクシェル（３１）の左端の近くに形成された前記ストラップの端部を取り付けるための２つの孔（４４、４５）と、当該内側フェイスマスクシェル（３１）の右端の近くに形成された前記ストラップの端部を取り付けるための２つの孔（４６、４７）と、を備え、
前記外側フェイスマスクシェル（３２）は、
底部（５０）と、前記底部（５０）の中央領域から突出するリブ（５１）であって、当該リブ（５１）がループ形状に形成されることで複数の穴を有する凹部床部（５３）を含む凹部（５２）を形成する、リブ（５１）と、前記底部（５０）から突出し当該外側フェイスマスクシェル（３２）の左端と前記リブ（５１）との間に位置する左突出部（５５）と、前記底部（５０）から突出し当該外側フェイスマスクシェル（３２）の右端と前記リブ（５１）との間に位置する右突出部（５６）と、当該外側フェイスマスクシェル（３２）の左端の近くに形成された前記ストラップの端部を取り付けるための２つの孔（５７、５８）と、当該外側フェイスマスクシェル（３２）の右端の近くに形成された前記ストラップの端部を取り付けるための２つの孔（５９、６０）と、を備え、
前記フィルターライナ（３３）は、
前記内側フェイスマスクシェル（３１）の前記凹部（３９）に配置され、前記凹部床部（４０）に形成されたすべての穴を覆い、
前記外側フェイスマスクシェル（３２）は、前記内側フェイスマスクシェル（３１）の前記左突出部（４２）が、前記外側フェイスマスクシェル（３２）の前記左突出部（５５）のキャビティ（７０）に挿入されるように、前記内側フェイスマスクシェル（３１）の上に配置され、前記内側フェイスマスクシェル（３１）の前記右突出部（４３）は、前記外側フェイスマスクシェル（３２）の前記右突出部（５６）のキャビティ（７１）に挿入され、前記フィルターライナ（３３）は、前記内側フェイスマスクシェル（３１）の前記凹部床部（４０）と前記外側フェイスマスクシェル（３２）の前記凹部床部（５３）との間に位置する、
フェイスマスク。
【請求項２】
前記内側フェイスマスクシェル（３１）と前記外側フェイスマスクシェル（３２）は、同じ形状および大きさである、
請求項１に記載のフェイスマスク。
【請求項３】
前記内側フェイスマスクシェル（３１）と前記外側フェイスマスクシェル（３２）は、熱成形プロセスにより成形されたプラスチックシートから製造されている、
請求項１に記載のフェイスマスク。
【請求項４】
前記プラスチックシートは、熱可塑性ポリオレフィン（ＴＰＯ）、ポリプロピレン（ＰＰ）、又はポリエチレン（ＰＥ）である、
請求項３に記載のフェイスマスク。
【請求項５】
前記内側フェイスマスクシェル（３１）と前記外側フェイスマスクシェル（３２）は、それぞれ０．２−１．０ｍｍの壁厚を有する、
請求項３に記載のフェイスマスク。
【請求項６】
前記凹部床部は、２−６個の穴を有し、各孔は、直径１０−２５ｍｍの円形状である、
請求項１に記載のフェイスマスク。 
【請求項７】
前記凹部床部は、４つの穴を有する、
請求項６に記載のフェイスマスク。
【請求項８】
前記左突出部（４２）と前記右突出部（４３）はそれぞれ、円筒形状であり、円筒形状の先端は、その底部よりも小さくなるようにテーパが付けられている、
請求項１に記載のフェイスマスク。
【請求項９】
前記少なくとも２つのストラップは、ヘッドバンドタイプの伸縮性のある弾性材料から製造された２つのストラップであり、一方のストラップは上部ストラップ（３４）であり、他方のストラップは下部ストラップ（３５）である、
請求項１に記載のフェイスマスク。
【請求項１０】
前記フィルターライナ（３３）は、３−５層が重ね合わされたスパンボンド若しくはメルトブローンナノファイバー不織布、または織布から製造されている、
請求項１に記載のフェイスマスク。
【考案の詳細な説明】
【技術分野】
【０００１】
本考案は、フェイスマスクに関する。
【背景技術】
【０００２】
フェイスマスクの一例は、鼻と口を覆うカップ型のシェルを備える。鼻と口を覆うシェルは、熱成形プロセスによって成形された発泡シートにより製造される。このようなフェイスマスクの発明の詳細は、タヤビ（Tayebi）の米国特許第5,094,236号に開示されている。米国特許第5,094,236号のフェイスマスクは、マスクシェル、マスクシェルの中央領域にある複数の穴、２つの弾性ストラップ、フィルターライナ、及び排気バルブを含む。米国特許第5,094,236号におけるフェイスマスクの構成要素は、本考案とは異なる。さらに、米国特許第5,094,236号におけるフェイスマスクの形状は、本考案のフェイスマスクの形状とは異なる。
【先行技術文献】
【特許文献】
【０００３】
【特許文献１】米国特許第５０９４２３６号明細書
【考案の概要】
【課題を解決するための手段】
【０００４】
本考案は、フィルタリングフェイスマスクを提供し、特に、プラスチック製の鼻および口を覆うフィルタリングフェイスマスクの一部に関する。
【０００５】
本考案におけるフェイスマスクは、鼻および口を覆うように使用することで、空気がフィルターライナを通過するとき空気が濾過される。そして、濾過された空気は着用者によって吸われる。濾過できる空気中の汚染物質の種類は、フィルタの種類によって異なる。
【０００６】
本考案によるフェイスマスクは、
内側フェイスマスクシェルと、外側フェイスマスクシェルと、フィルターライナと、着用者の頭に対してフェイスマスクを固定するための少なくとも２つのストラップと、を備えるフェイスマスクであって、
前記内側フェイスマスクシェルは、
底部と、前記底部の中央領域から突出するリブであって、当該リブがループ形状に形成されることで複数の穴を有する凹部床部を含む凹部を形成する、リブと、前記底部から突出し当該内側フェイスマスクシェルの左端と前記リブとの間に位置する左突出部と、前記底部から突出し当該内側フェイスマスクシェルの右端と前記リブとの間に位置する右突出部と、当該内側フェイスマスクシェルの左端の近くに形成された前記ストラップの端部を取り付けるための２つの孔と、当該内側フェイスマスクシェルの右端の近くに形成された前記ストラップの端部を取り付けるための２つの孔と、を備え、
前記外側フェイスマスクシェルは、
底部と、前記底部の中央領域から突出するリブであって、当該リブがループ形状に形成されることで複数の穴を有する凹部床部を含む凹部を形成する、リブと、前記底部から突出し当該外側フェイスマスクシェルの左端と前記リブとの間に位置する左突出部と、前記底部から突出し当該外側フェイスマスクシェルの右端と前記リブとの間に位置する右突出部と、当該外側フェイスマスクシェルの左端の近くに形成された前記ストラップの端部を取り付けるための２つの孔と、当該外側フェイスマスクシェルの右端の近くに形成された前記ストラップの端部を取り付けるための２つの孔と、を備え、
前記フィルターライナは、
前記内側フェイスマスクシェルの前記凹部に配置され、前記凹部床部に形成されたすべての穴を覆い、
前記外側フェイスマスクシェルは、前記内側フェイスマスクシェルの前記左突出部が、前記外側フェイスマスクシェルの前記左突出部のキャビティに挿入されるように、前記内側フェイスマスクシェルの上に配置され、前記内側フェイスマスクシェルの前記右突出部は、前記外側フェイスマスクシェルの前記右突出部のキャビティに挿入され、前記フィルターライナは、前記内側フェイスマスクシェルの前記凹部床部と前記外側フェイスマスクシェルの前記凹部床部との間に位置することを特徴とする。
【０００７】
本考案の目的は、吸入空気を濾過して、着用者を、粉塵、花粉およびある種の病原体から保護できるフェイスマスクを提供することである。
【０００８】
本考案の他の目的は、フィルターライナの使用量を減らすことができるフェイスマスクを提供することである。本考案のフェイスマスクは、通常のフェイスマスクと比較して、フィルターライナの領域としてフェイスマスクの４分の１だけを使用する。
【０００９】
本考案の他の目的は、プラスチック製のフェイスマスクシェルを含むフェイスマスクを提供することである。フェイスマスクシェルは再利用可能である。ソフト洗剤で洗浄する、あるいは、消毒剤で拭いたりすることで簡単に消毒できる。このことは資源を持続可能に利用でき、迅速な生産が可能となる。
【００１０】
本考案の他の目的は、交換可能なフィルターライナを備えたフェイスマスクを提供することである。これにより、医療現場、建設現場、清掃、その他の一般的な作業に関係なく、ユーザは、作業場所の環境に合わせて、フィルターライナのタイプを変更できる。
【００１１】
本考案の他の目的は、プラスチック製のフェイスマスクシェルを備えたフェイスマスクを提供することである。フェイスマスクシェルは、顔に合わせた形状に成形されている。したがって、着用者の顔にフィットする。選択されたプラスチック素材は柔らかく、柔軟性があり、着用者の顔にフィットする。
【００１２】
他の目的は、以下の説明および図面で明らかになる。
【図面の簡単な説明】
【００１３】
【図１】本考案に係るフェイスマスクの構成要素を示す正面斜視分解図である。
【図２】本考案に係るフェイスマスクの構成要素を示す背面斜視分解図である。
【図３】完全に組み立てられたときの本考案に係るフェイスマスクの正面斜視図である。
【図４】完全に組み立てられたときの本考案に係るフェイスマスクの正面図である。
【図５】図４の５−５線に沿った断面図であり、内側フェイスマスクシェルの左突出部が外側フェイスマスクシェルの左突出部のキャビティに挿入されている状態を示す。
【図６】図４の６−６線に沿った断面図であり、内側フェイスマスクシェルの凹部に、フィルターライナが配置されている状態を示す。
【図７】本考案に係るフェイスマスクの正面斜視図であり、内側フェイスマスクシェルが引き離され、フィルターライナの挿入または交換が可能である状態を示す。
【考案を実施するための形態】
【００１４】
以下、図面を参照して本考案を説明する。各図面には、さまざまな部材を示す符号が含まれている。図面に示された同じ符号は同じ部材を指す。
【００１５】
以下の説明には、「内側」と「外側」という用語がある。「内側」という用語は、「外側」という用語よりも着用者の顔に近い位置を意味する。
【００１６】
図１は、本考案のフェイスマスク３０の正面斜視分解図を示す。内側フェイスマスクシェル３１は、底部３７を備える。底部３７の中央領域から突出したリブ３８を備える。リブ３８は、ループ形状に形成されることで凹部３９を形成することを特徴とする。凹部３９は、複数の穴を有する凹部床部４０を備える。本考案では、好ましくは、２−６個の穴を備える。各穴は、１０−２５ｍｍの直径を有する円形である。図１では、４つの穴４１を示している。底部３７から左突出部４２が突出する。左突出部４２は、内側フェイスマスクシェル３１の左端とリブ３８との間に配置されている。底部３７から右突出部４３が突出する。右突出部４３は、内側フェイスマスクシェル３１の右端とリブ３８との間に配置される。ストラップの端部を取り付けるために、内側フェイスマスクシェルの左端の近くに孔４４と孔４５がある。ストラップの端部を取り付けるために、内側フェイスマスクシェルの右端の近くに孔４６と孔４７がある。
【００１７】
外側フェイスマスクシェル３２は、底部５０を備える。底部５０の中央領域から突出したリブ５１を備える。リブ５１は、ループ形状に形成されることで凹部５２を形成することを特徴とする。凹部５２は、複数の穴を有する凹部床部５３を備える。本考案では、好ましくは、２−６個の穴を備える。各穴は１０−２５ｍｍの直径を有する円形である。図１では、４つの穴５４示している。底部５０から左突出部５５が突出する。左突出部５５は、外側フェイスマスクシェル３２の左端とリブ５１との間に配置されている。底部５０から右突出部５６が突出する。右突出部５６は、外側フェイスマスクシェル３２の右端とリブ５１との間に配置される。ストラップの端部を取り付けるために、外側フェイスマスクシェルの左端の近くに孔５７と孔５８がある。ストラップの端部を取り付けるために、外側フェイスマスクシェルの右端の近くに孔５９と孔６０がある。
【００１８】
内側フェイスマスクシェル３１の凹部３９にフィルターライナ３３が配置される。フィルターライナ３３は、凹部床部４０のすべての穴を覆う。
【００１９】
外側フェイスマスクシェル３２は、内側フェイスマスクシェルの左突出部４２が外側フェイスマスクシェルの左突出部５５のキャビティ７０に挿入されるように、内側フェイスマスクシェル３１の上に配置される。そして、内側フェイスマスクシェルの右突出部４３は、外側フェイスマスクシェルの右突出部５６のキャビティ７１に挿入される。フィルターライナ３３は、内側フェイスマスクシェルの凹部床部４０と外側フェイスマスクシェルの凹部床部５３との間に配置される。
【００２０】
そして、着用者の頭に対してフェイスマスクを固定するための少なくとも２つのストラップを備える。
【００２１】
内側フェイスマスクシェル３１と外側フェイスマスクシェル３２は、それぞれ、熱成形プロセスにより成形されたプラスチックシートから製造され、その後、穴又は孔が空けられる。また、それらは、射出成形により成形されたプラスチックから製造することもできる。それらは、他のプロセスによって成形されたプラスチックにより製造することもできる。これらの製造プロセスでは、熱可塑性ポリオレフィン（TPO）、ポリプロピレン（PP）、ポリエチレン（PE）などのリサイクル可能なプラスチックを使用する。内側フェイスマスクシェル３１と外側フェイスマスクシェル３２は、それぞれ、０．２−１．０ｍｍの壁厚を有する。
【００２２】
フィルターライナは、３−５層が重ね合わされたスパンボンドまたはメルトブローンナノファイバー不織布から製造される。抗菌性を得るためにナノ酸化亜鉛でコーティングされた一層を備えることもできる。さらに、フィルターライナは、織布から製造することもできる。
【００２３】
本考案は、同じ型で製造された内側フェイスマスクシェル３１と外側フェイスマスクシェル３２を提供する。つまり、これらのシェルは、同一形状であり同一の大きさである。しかしながら、外側フェイスマスクシェルが内側フェイスマスクシェルより少し大きい形状およびサイズである場合でも、それらは依然として本考案においては、フェイスマスクになるように組み立てることができる。
【００２４】
図１は、２つのストラップである上部ストラップ３４と下部ストラップ３５の詳細を示す。双方のストラップは、伸縮性のある弾性材料から製造されている。
【００２５】
ユーザは、２つのフェイスマスクシェルを分離して、２つのフェイスマスクシェルの間にフィルターライナを挿入または交換することができる。本考案は、以下のように、ストラップの端部をフェイスマスクシェルの両側の孔に固定する方法を開示する。
【００２６】
上部ストラップ３４は、左端６２および右端６５の２つの端を有する。左端６２は、孔４４および孔５７に通して挿入されるためのものであり、挿入後、左端６２は、孔４４および孔５７に、結束または糸による縫い付けなどよって固定される。右端６５は、孔５９に通して挿入されるためのものであり、挿入後、右端６５は、孔５９に結束または糸による縫い付けなどによって固定される。
【００２７】
そして、下部ストラップ３５は、左端６３と右端６６の２つの端を有する。左端６３は、孔４５および孔５８に通して挿入されるためのものであり、挿入後、左端６３は、孔４５および孔５８に、結束または糸による縫い付けなどによって固定される。右端６６は、孔６０を通して挿入されるためのものであり、挿入後、右端６６は、孔６０に結束または糸による縫い付けなどによって固定される。
【００２８】
上部ストラップ３４および下部ストラップ３５は、上記の方法によって完全に取り付けられる。ユーザがフィルターライナを交換したい場合、ユーザは片方の手で外側フェイスマスクシェル３２の右端をつかみ、もう一方の手で内側フェイスマスクシェル３１の右端をつかんで、図７の曲線矢印Ａで示すように、２つのフェイスマスクシェルを分離することができる。ここで、ユーザは、凹部３９から古いフィルターライナ３３を取り出し、新しいフィルターライナ３３を配置して交換することができる。その後、ユーザは手で２つのフェイスマスクシェルの右端を圧迫し、分離前のように密着させる。
【００２９】
図１の上部ストラップ３４および下部ストラップ３５は、ヘッドバンドタイプである。しかしながら、本考案においては、イヤループタイプまたはタイオンタイプを、フェイスマスクに使用することもできる。ユーザは、ストラップの端部を取り付けるための双方のフェイスマスクシェルの端部にある右側の孔を認識する必要がある。これにより、ユーザは上記の方法のように２つのフェイスマスクシェルを分離できる。そして、ユーザは、２つのフェイスマスクシェルの間に、フィルターライナを挿入、またはその間に配置されているフィルターライナを交換できる。
【００３０】
図２は、組み立てられる前のフェイスマスクの構成要素を示す背面斜視分解図である。左突出部４２は中空であることが分かる。したがって、内部にキャビティ６８を有する。右突出部４３は中空であり、そのため、内部にキャビティ６９を有する。同様に、左突出部５５は内部にキャビティ７０を有し、右突出部５６は内部にキャビティ７１を有する。
【００３１】
図３は、完全に組み立てられたときの本考案におけるフェイスマスク３０の正面斜視図である。外側フェイスマスクシェル３２は、中央にフィルターライナ３３を配置した内側フェイスマスクシェル３１の上を覆っていることが分かる。吸入された空気は、外側フェイスマスクシェル３２の穴５４を通過し、フィルターライナ３３を通過し、内側フェイスマスクシェル３１の穴４１を通過し、その後、着用者の鼻に入る。
【００３２】
図４は、完全に組み立てられたときの本考案におけるフェイスマスク３０の正面図である。各穴５４の位置は、各穴４１の位置と一致するように配置されている。リブ５１は円形であり、各穴５４は円形であることが分かる。
【００３３】
図５は、内側フェイスマスクシェル３１の左突出部４２が、外側フェイスマスクシェル３２の左突出部５５のキャビティ７０に、挿入されていることを示す断面図である。また、双方のフェイスマスクシェルの右側では、内側フェイスマスクシェル３１の右突出部４３が、外側フェイスマスクシェル３２の右突出部５６のキャビティ７１に、挿入されている。これにより、特に使用時に、双方のフェイスマスクシェルが動くことなく、内側フェイスマスクマスク３１を外側フェイスマスクシェル３２に、取り付けることができる。ストラップ３４とストラップ３５は頭の周りに取り付ける。これにより、外側フェイスマスクシェル３２が内側フェイスマスクシェル３１に押し付けられる。これにより、２つのフェイスマスクシェルは離れないようになる。
【００３４】
図５はまた、左突出部４２と左突出部５５の各々が、円筒形状であることを示している。円筒形状の先端は、その底部よりも小さくなるようにテーパが付けられている。同様に、右突出部４３と右突出部５６の各々は、円筒形状である。円筒形状の先端は、その底部よりも小さくなるようにテーパが付けられている。
【００３５】
図６は、フィルターライナ３３が内側フェイスマスクシェル３１の凹部３９に配置され、内側フェイスマスクシェルの凹部床部４０と外側フェイスマスクシェル３２の凹部床部５３との間に配置されることを示す断面図である。これにより、使用時にフィルターライナ３３が凹部３９から外に移動しない。その結果、着用者がフェイスマスク３０を着用している間、フィルターライナ３３はずっと全ての穴４１を覆う。
【００３６】
図７は、内側フェイスマスクシェル３１が分離して開かれたときの、本考案のフェイスマスク３０の正面斜視図を示す。これは、フィルターライナ３３を挿入または交換することを示す。左端６２が孔５７および孔４４に取り付けられているため、内側フェイスマスクシェル３１を分離するこの方法が用いられ得る。そして、左端６３は、孔５８および孔４５に取り付けられている。これにより、内側フェイスマスクシェルの左端が外側フェイスマスクシェルの左端に接続される。双方のフェイスマスクシェルの右側では、右端６５が外側フェイスマスクシェルの孔５９のみに取り付けられており、内側フェイスマスクシェルの孔４６には取り付けられていない。そして、右端６６が外側フェイスマスクシェルの孔６０のみに取り付けられており、内側フェイスマスクシェルの孔４７には取り付けられていない。したがって、内側フェイスマスクシェルの右端を、外側フェイスマスクシェルの右端から分離することができる。これにより、ユーザは、古いフィルターライナを取り出して、新しいフィルターライナに交換することができる。分離の方向は、図中の曲線矢印Ａで示す。
【００３７】
図７は、フェイスマスク３０の右端を分離開口した状態を示す。この場合において、ユーザがフェイスマスクの左端で分離開口したい場合は、ストラップの端部を取り付け直すことができる。ユーザは、右端６５を孔５９および孔４６に取り付け、そして、右端６６を孔６０および孔４７に取り付ける必要がある。左端６２は、外側フェイスマスクシェルの孔５７のみに取り付けられる。そして、左端６３は、外側フェイスマスクシェルの孔５８のみに取り付けられる。
【００３８】
本考案は、着用者の鼻の近くを通過する吸入空気を濾過するのに十分な大きさのフィルターライナを備えるフェイスマスクに提供する。本考案における、鼻と口を覆うフィルターライナの大きさは、一般的なフェイスマスクのフィルターライナの大きさと等しい大きなサイズではない。本考案のフェイスマスクは、一般的なフェイスマスクのフィルターライナの面積のわずか４分の１の面積を有するフィルターライナを使用することにより、フィルターライナの使用量を減らすことができる。
【００３９】
本考案は、プラスチック製のフェイスマスクシェルを備えるフェイスマスクを提供する。フェイスマスクシェルは何度か再利用できる。フェイスマスクは、ソフト洗剤を使用するか、消毒剤で拭くと、簡単に消毒できる。それは資源の持続可能な利用であり、迅速に生産できることになる。
【００４０】
本考案は、フィルターライナを交換するフェイスマスクを提供する。これにより、ユーザは、同じフェイスマスクシェルを使用しながら、フィルターライナのタイプを変更して、作業場所の環境に合わせることができる。ユーザは、医療分野、建設現場、クリーニング、その他の一般的な作業に関係なく、いくつかの作業で、同じフェイスマスクシェルを使用できる。
【００４１】
そして、本考案は、プラスチック製のフェイスマスクシェルを備えたフェイスマスクを提供する。フェイスマスクシェルは、顔に合わせた形状に成形されている。選択されたプラスチック製材料は柔らかく柔軟性があるため、着用者の顔にフィットし、それにより、フェイスマスクシェルの周囲と顔との間のギャップが減少する。これは、空気中の汚染物質が、内側フェイスマスクシェルの周辺から侵入するのを防ぐのに役立つ。
【図１】
0003228837.tif 000003
【図２】
0003228837.tif 000004
【図３】
0003228837.tif 000005
【図４】
0003228837.tif 000006
【図５】
0003228837.tif 000007
【図６】
0003228837.tif 000008
【図７】
0003228837.tif 000009